(57)【要約】      （修正有）【課題】車両のフロントウィンドの正面から差し込む光を抑制することが出来るサンバイザーを提供する。【解決手段】サンバイザー２は、複数本の細い線５を等間隔で形成した一方のフィルム３と、同じく複数本の細い線６を等間隔で形成した他方のフィルム４を有し、一方のフィルム３を定位置に固定し、他方のフィルム４を回転移動又は平行移動することで一方のフィルムと他方のフィルムに形成した細い線の間隔を調整することで、射し込む光の量を調整可能としている。【選択図】図１
0003233095.tif 000002
【実用新案登録請求の範囲】
【請求項１】
車両のフロントウィンドから差し込む光を抑制することが出来るサンバイザーにおいて、該サンバイザーは複数本の細い線を等間隔で形成した一方のフィルム、同じく複数本の細い線を等間隔で形成した他方のフィルムを有し、上記一方のフィルムを定位置に固定し、他方のフィルムを回転移動又は平行移動することで一方のフィルムと他方のフィルムに形成した細い線の間隔を調整することで、射し込む光の量を調整可能とした車両用のサンバイザー。
【請求項２】
上記一方のフィルムをフロントウィンドの内面に貼り付け、他方のフィルムを移動可能に取付けた請求項１記載の車両用のサンバイザー。
【請求項３】
上記他方のフィルムを、軸を中心として回転可能に取付けた請求項１、又は請求項２記載の車両用のサンバイザー。
【請求項４】
上記他方のフィルムを両側に設けたガイドに沿ってスライド可能に取付けた請求項１、請求項２記載の車両用のサンバイザー。
【考案の詳細な説明】
【技術分野】
【０００１】
本考案は、車を運転する場合に正面から差し込む光によって生じる眩しさを防止又は抑制することが出来る車両用サンバイザーに関するものである。
【背景技術】
【０００２】
車を運転している場合、晴れた日には朝陽が射し込んで眩しく、夕方には夕陽が射し込んで眩しく感じることが多く、その為に道路の交差点に設置してある信号が見えにくかったり、前方からの車が分かりにくいといった経験はよくある。また、夜になると対向車のライトの光が目に入って、眩しき感じることも多い。
このように、車の安全運転を妨げる要因としては、フロントウィンドからの視界の悪さが大きく影響する。
【０００３】
ところで、車両にはフロントウィンドの上部側にサンバイザーを取付けていて、ドライバーはフロントウィンドから眩しい光が射し込む場合には、該サンバイザーを手前に倒し、射し込む光が目に入らないようにしている。サンバイザーは助手席側にも取付けられていて、各々のサンバイザーを手前に倒して、光を遮ることが出来るように成っている。
【０００４】
サンバイザーにも色々な型式が知られているが、一般的には軸を中心として揺動して倒すことが出来るように構成している。
例えば、特開２００７−４５１８８号に係る「車両用日除け装置」は、車両走行時には運転の妨げとなる太陽光の眩しさを遮る「サンバイザー」として使用でき、駐停車時にはフロントウィンドから照りつける太陽光を遮って車内の温度上昇を抑制する「サンシェード」としても使用できるようにした車両用日除け装置である。
【０００５】
車両用日除け装置は、フロントウィンド全体を本質的に上部側から下部側まで覆うことができるスクリーンと、スクリーンを引き出し自在に巻き取ることができる巻取装置を備えている。スクリーンは、引き出した後に固定してスクリーンの長さを無段階または複数段階に調整でき、これによりサンバイザーに代えてフロントウィンドの上部側を幅方向全体に渡って本質的に隙間なく覆うことができるように構成されている
【０００６】
特開２０２１−４１７９０号に係る「車両用サンバイザー」は、従来技術と比較してより簡単な操作で、第２遮光位置に側方用遮光パネルを移動できる車両用サンバイザーである。
車両用サンバイザーは、車室内において、ルーフに面する収納位置とフロントウィンドに面する第１遮光位置とに移動可能な前方用遮光パネルと、収納位置とサイドウィンドに面する第２遮光位置とに移動可能な側方用遮光パネルと、前方用遮光パネルと側方用遮光パネルとを連動させる連動機構とを備える。連動機構は、収納位置から第１遮光位置に前方用遮光パネルを移動させることにより、収納位置から第２遮光位置に側方用遮光パネルを移動させることが出来る。
【特許文献１】特開２００７−４５１８８号に係る「車両用日除け装置」
【特許文献２】特開２０２１−４１７９０号に係る「車両用サンバイザー」
【考案の開示】
【考案が解決しようとする課題】
【０００７】
このように、車両にはサンバイザーが取付けられ、該サンバイザーを手前に倒すことでフロントウィンドから射し込む光を遮ることが出来る。すなわち、サンバイザーを倒すならば視界は完全に遮られ、その為に長時間にわたってサンバイザーを倒しておくことは車の運転には邪魔に成る。
本考案が解決しようとする課題はこの問題点であり、フロントウィンドに射し込む光を、運転に差し支えない範囲内において適度に調整することが出来るように構成してなる車両用サンバイザーを提供する。
【課題を解決するための手段】
【０００８】
本考案に係るサンバイザーは２枚のフィルムで構成し、各々のフィルムには複数本の細い線が等間隔で互いに平行に設けている。一方のフィルムは定位置に固定され、他方のフィルムは移動することが出来、その結果、両フィルムに設けている細い線の間隔が拡大したり、縮小したりする。
細い線の間隔が拡大するならば、フロントウィンドから射し込む光は強くなり、逆に細い線の間隔が小さくなればフロントウィンドから射し込む光は弱くなる。
【０００９】
ところで、一方のフィルムはフロントウィンドの内面に貼着し、他方のフィルムを移動するようにすることで、互いのフィルムの細線間隔は調整することが出来る。そして、他方のフィルム移動としては、所定の軸を中心として回転移動し、又は平行移動するように制御される。ただし、他方のフィルムの具体的な移動手段は限定しない。最も手軽な方法としては、射し込む光の強さを見ながら手で操作することが可能である。
【００１０】
等間隔で形成される上記細線は、互いに平行を成す場合、また、基点を中心として放射状に外方向へ延びている場合がある。平行な細線であれば他方のフィルムを平行移動するように操作し、放射状に外方向へ延びている細線であれば他方のフィルムを基点を中心として回転移動するように操作することが出来る。
【考案の効果】
【００１１】
本考案に係る車両用サンバイザーは、２枚のフィルムを重ね合わせたもので、各フィルムには細線が等間隔で形成されている。したがって、一方のフィルムを移動させるならば、両フィルムに形成している細線の間隔が変化し、その為にフロントウィンドから射し込む光の量を調整することが出来る。
すなわち、外の明るさに応じて他方側のフィルムを移動させることで、安全運転が出来る範囲内において、眩しくないように調整する。したがって、従来のサンバイザーのようにトンネル内を通過する際など、不要な時であっても上方へ押し上げ操作する必要がない。
【図面の簡単な説明】
【００１２】
【図１】フロントウィンドにサンバイザーを取付けた本考案の実施例。
【図２】平行な細い線を等間隔で形成した２枚のフィルムを平行移動することで、射し込む光を抑制する実施例。
【考案を実施するための形態】
【００１３】
図１は車のドライバー側から正面を見た場合を表している。車の正面には大きなフロントウィンド１が設けられ、朝方や夕方には太陽光が正面からフロントウィンド１を透過して射し込むことがあり、ドライバーの目に入ることで前方が見え難く、交差点に設置してある信号を見落とす場合も起こり得る。
従来では、ドライバー側と助手席側のフロントウィンド１の上部にはサンバイザーが取付けられ、眩しい太陽光を遮る為に該サンバイザーを手前に倒して眩しさを避けている。
サンバイザーを必要とする場合は、太陽光に限らず、対向車からのヘッドライトも眩しく感じる。
【００１４】
サンバイザーを手前に倒すことで、眩しさを避けることはある程度可能であるが、安全に運転するためには、前方をサンバイザーで完全に遮ることは出来ない。
本考案に係るサンバイザー２は、同図に示しているように、２枚のフィルム３とフィルム４で構成され、一方のフィルム３は所定の位置に固定され、他方のフィルム４は基点７を中心として矢印（→）の方向に回転することが出来る。
【００１５】
上記フィルム３には細い線５，５・・・が等間隔で形成され、フィルム４には同じく細い線６，６・・・が等間隔で形成されている。
図１に示すサンバイザー２は、フィルム３に設けている直線状に細い線５，５・・・が延び、他方のフィルム４が回転するならば、フィルム４に形成している細い線６，６・・・との間隔は増減することが出来る。
したがって、フロントウィンド１を通過する眩しい光は抑制されるが、視界が妨げられることはない。
【００１６】
ここで、一方のフィルム３はフロントウィンド１に固定され、他方のフィルム４は軸７を中心として回転することが出来る構造としている。フィルム４は中央に設けた基点７を中心として回転することで、等間隔で延びている細い線６，６・・・は細い線５，５・・・に近づき、間の間隔は増減することが出来る。
ここで、平行な細い線６，６・・・と平行な細い線５，５・・・が完全に一致することで光の透過は大きくなり、回転することで透過は抑制される。
【００１７】
すなわち、フィルム３にフィルム４が重なり合って回転移動することで、細い線５，５・・・と細い線６，６・・・にて形成される両細い線５，６，５，６・・・の間隔は小さく成り、その結果、フロントウィンド１から射し込む光を遮ることが出来、少なくとも抑制することが出来る。
逆に、細い線５，５・・・と細い線６，６・・・にて形成される両細い線５，６，５，６・・・の間隔が大きくなれば、フロントウィンド１から射し込む光は強く成る。
ここで、フィルム３に形成している細い線５，５・・・、及びフィルム４に形成している細い線６，６・・・はそれぞれ平行を成しているが、基点１を中心として放射状に延ばすことも出来る。
【００１８】
上記フィルム３に形成している細い線５，５・・・の具体的な太さ及び間隔、他方のフィルム４に形成している細い線６，６・・・の具体的な太さ及び間隔に関しては限定しない。
ここで、細い線５，５・・・の太さ、及び細い線６，６・・・の太さは均一ではなく、変化させることで光の遮蔽効果は変化することが出来る。
また、細い線５，５・・・、及び細い線６，６・・・の間隔を全周にわたって均一とすることなく、複数の領域に仕切り、各領域ごとに細い線５，５・・・、及び細い線６，６・・・の間隔を均一化することも出来、同時に細い線５，５・・・、及び細い線６，６・・・の太さを変化することが出来る。
【００１９】
フィルム４のコーナには小さいツマミ８が設けられ、該ツマミ８を摘まんで回すならば、フィルム４は基点７を中心として回転する。そして、適当に回転した位置で停止するように、フロントウィンド１の内面とフィルム４の裏面には透明なマグネットシートが貼り付けられていて、適度な位置で吸着して回転移動しないように固定される。
【００２０】
図１示すサンバイザー２はツマミ８を摘まんで手動で回すことでフィルム４が回転し、フロントウィンド１から射し込む光を調整するように構成している。
ただし、他方のフィルム４を移動する動きは、回転移動に限るものではなく、平行移動することも出来る。
図２は重なり合っている２枚のフィルム３，４の上側に位置するフィルム４を下方に移動することで、射し込む光を調整するように構成している。
【００２１】
（ａ）は２枚のフィルム３，４が互いに重なり合っている場合であり、細い線５，６・・・は互いに重なり合い、その為に、細い線５，５・・・の間隔と細い線６，６・・・の間隔は等しくなっている。
そして、２枚のフィルム３，４の両側辺９，９には、左右方向に位置ズレしないようにガイドを設け、フィルム４の下縁に設けているツマミ１０を摘まんで下方に引くならば、上側のフィルム４は移動する。（ｂ）は上側のフィルム４を僅かに移動した場合であって、細い線５，５・・・の間に細い線６，６・・・が位置することになり、射し込む光を遮ることが出来る。
【００２２】
一方、フィルム３をフロントウィンド１に貼り付けるのではなく、枠体に張着して従来のように手前に倒すことが出来る形態とすることが出来る。枠体に２枚のフィルム３，４を張着して取付け、表側のフィルム４を自動的に移動する構造とすることも可能である。  例えば、表側フィルムを張着している枠体にバネを取付け、該枠体に設けたツマミを引くことで複数段階に引くことで光を調整可能とする。
【００２３】
すなわち、フィルム３に設けた細い線とフィルム４の細い線の間隔を調整し、射し込む光を調整する。そして、トンネルなどの薄くらい場所に進入した場合には、バネ力によって元の位置に直ちに復帰するようにしている。
また、フィルム４を張設した枠体にラックギヤを設け、このラックギヤに噛み合うピニオンを枠体に取付けておき、ピニオンをモータによって回転するようにすれば、ハンドルに設けているスイッチ操作でフィルム４をスライド移動させ、射し込む光を調整出来る。
【符号の説明】
【００２４】
１   フロントウィンド
２   サンバイザー
３   フィルム
４   フィルム
５   細い線
６   細い線
７   基点
８   ツマミ
９   側辺
10   ツマミ
【図１】
0003233095.tif 000003
【図２】
0003233095.tif 000004